(57)【特許請求の範囲】
【請求項１】
第１のネットワーク上の所定伝送周波数の第１のディジタル放送信号を第２のネットワーク上の所定伝送周波数の第２のディジタル放送信号に変換する信号処理装置であって、
上記第１のディジタル放送信号を周波数変換して第１のディジタル変調信号を得る第１の周波数変換手段と、
上記第１のディジタル変調信号を復調してディジタル放送データを得る復調手段と、
上記復調手段より出力されるディジタル放送データから伝送路に関する物理的な情報を持つネットワーク・インフォメーション・テーブルを検出するテーブル検出手段と、
上記テーブル検出手段で検出される上記ネットワーク・インフォメーション・テーブルを上記第２のネットワークに適合するように変更するテーブル変更手段と、
上記復調手段より出力されるディジタル放送データのネットワーク・インフォメーション・テーブルを上記テーブル変更手段で変更して得られたネットワーク・インフォメーション・テーブルに置き換えるテーブル置き換え手段と、
上記テーブル置き換え手段でネットワーク・インフォメーション・テーブルが置き換えられたディジタル放送データを変調して第２のディジタル変調信号を得る変調手段と、
上記第２のディジタル変調信号を周波数変換して上記第２のディジタル放送信号を得る第２の周波数変換手段と、
予備のネットワーク・インフォメーション・テーブルを記憶しておくテーブル記憶手段とを備え、
上記テーブル検出手段で検出される上記ネットワーク・インフォメーション・テーブルが異常であるとき、上記テーブル置き換え手段では、上記テーブル記憶手段に記憶されている上記予備のネットワーク・インフォメーション・テーブルを使用して上記ネットワーク・インフォメーション・テーブルを置き換える
ことを特徴とする信号処理装置。
【請求項２】
上記テーブル記憶手段には上記第１のネットワークに適合するネットワーク・インフォメーション・テーブルを記憶しておき、上記テーブル検出手段で検出されるネットワーク・インフォメーション・テーブルが異常であるとき、上記テーブル記憶手段に記憶されている上記予備のネットワーク・インフォメーション・テーブルを上記テーブル変更手段で変更して上記テーブル置き換え手段で使用する
ことを特徴とする請求項１に記載の信号処理装置。
【請求項３】
上記テーブル記憶手段には上記第２のネットワークに適合するネットワーク・インフォメーション・テーブルを記憶しておき、上記テーブル検出手段で検出されるネットワーク・インフォメーション・テーブルが異常であるとき、上記テーブル記憶手段に記憶されている上記予備のネットワーク・インフォメーション・テーブルを上記テーブル置き換え手段でそのまま使用する
ことを特徴とする請求項１に記載の信号処理装置。
【請求項４】
上記テーブル検出手段で検出されるネットワーク・インフォメーション・テーブルの内容を表示するテーブル内容表示手段をさらに備える
ことを特徴とする請求項１に記載の信号処理装置。
【請求項５】
上記テーブル記憶手段に記憶される上記予備のネットワーク・インフォメーション・テーブルは、上記テーブル検出手段で検出されるネットワーク・インフォメーション・テーブルが異常となる以前に上記テーブル検出手段で検出されたネットワーク・インフォメーション・テーブルまたはそのネットワーク・インフォメーション・テーブルが上記テーブル変更手段で変更して得られたネットワーク・インフォメーション・テーブルである
ことを特徴とする請求項１に記載の信号処理装置。
【発明の詳細な説明】
【０００１】
【発明の属する技術分野】
この発明は、任意のネットワークで放送されているディジタル放送番組を他のネットワークで配信サービスする際に使用して好適な信号処理装置に関する。詳しくは、第１のネットワークにおけるディジタル放送データのＮＩＴ（ネットワーク・インフォメーション・テーブル）を検出し、そのＮＩＴを第２のネットワークに適合するように変更し、第１のネットワークにおけるディジタル放送データのＮＩＴを上記変更したＮＩＴに置き換えて第２のネットワークにおけるディジタル放送データを得るものにあって、予備のＮＩＴを記憶しておき、第１のネットワークにおけるディジタル放送データより検出されるＮＩＴが異常であるとき、上記予備のＮＩＴを使用してＮＩＴの置き換えを行うことによって、受信端末で正しく受信し得る第２のネットワークにおけるディジタル放送データを得るようにした信号処理装置に係るものである。
【０００２】
【従来の技術】
例えば、衛星ディジタル多チャネル放送を、ケーブルテレビ事業者等が自施設内のネットワークを利用し、変調変換送出装置等によって配信サービスする等、任意のネットワークで放送されているディジタル放送番組を他のネットワークで配信サービスすることが考えられる。
【０００３】
【発明が解決しようとする課題】
この場合、ディジタル放送データは伝送路に関する物理的な情報を持つＮＩＴを有していることから、変調変換送出装置等で変調方法を変換するだけでは、第１のネットワークで放送されているディジタル放送番組を第２のネットワークで配信サービスすることができない。
【０００４】
そこで、第１のネットワークにおけるディジタル放送データのＮＩＴを検出し、そのＮＩＴを第２のネットワークに適合するように変更し、第１のネットワークにおけるディジタル放送データのＮＩＴを上記変更したＮＩＴに置き換えて第２のネットワークにおけるディジタル放送データを得るようにすることが考えられる。しかし、この場合、第１のネットワークにおけるディジタル放送データより検出されるＮＩＴが異常であるときには、置き換えに使用されるＮＩＴも異常なものとなり、受信端末で正しく受信し得る第２のネットワークにおけるディジタル放送データを得ることができなくなる。
【０００５】
この発明では、第１のネットワークにおけるディジタル放送データより検出されるＮＩＴが異常であっても、受信端末で正しく受信し得る第２のネットワークにおけるディジタル放送データを得ることができる信号処理装置を提供することを目的とする。
【０００６】
【課題を解決するための手段】
この発明に係る信号処理装置は、第１のネットワーク上の所定伝送周波数の第１のディジタル放送信号を第２のネットワーク上の所定伝送周波数の第２のディジタル放送信号に変換する信号処理装置であって、第１のディジタル放送信号を周波数変換して第１のディジタル変調信号を得る第１の周波数変換手段と、第１のディジタル変調信号を復調してディジタル放送データを得る復調手段と、この復調手段より出力されるディジタル放送データから伝送路に関する物理的な情報を持つＮＩＴ（ネットワーク・インフォメーション・テーブル）を検出するテーブル検出手段と、このテーブル検出手段で検出されるＮＩＴを第２のネットワークに適合するように変更するテーブル変更手段と、復調手段より出力されるディジタル放送データのＮＩＴをテーブル変更手段で変更して得られたＮＩＴに置き換えるテーブル置き換え手段と、このテーブル置き換え手段でＮＩＴが置き換えられたディジタル放送データを変調して第２のディジタル変調信号を得る変調手段と、この第２のディジタル変調信号を周波数変換して第２のディジタル放送信号を得る第２の周波数変換手段と、予備のＮＩＴを記憶しておくテーブル記憶手段とを備え、テーブル検出手段で検出されるＮＩＴが異常であるとき、テーブル置き換え手段ではテーブル記憶手段に記憶されている予備のＮＩＴを使用してＮＩＴを置き換えるものである。
【０００７】
第１のネットワーク上の第１のディジタル放送信号は所定の伝送周波数を有しているが、この第１のディジタル放送信号は周波数変換されてディジタル変調信号とされ、さらに復調されることで第１のネットワークにおけるディジタル放送データが得られる。この第１のネットワークにおけるディジタル放送データは、第１のネットワークに適合したＮＩＴを持っている。
【０００８】
この第１のネットワークにおけるディジタル放送データよりＮＩＴが検出され、このＮＩＴが第２のネットワークに適合するように変更される。例えば、衛星ディジタル多チャネル放送をケーブルテレビ事業者等が自施設内のネットワークを利用して変調変換送出装置によって配信サービスする場合等にあってはＮＩＴの周波数情報が変更される。また、第２のネットワーク上のディジタル放送信号の数が第１のネットワーク上のディジタル放送信号の数よりも少なくなるとき、第１のネットワーク上のディジタル放送信号のうち第２のネットワーク上のディジタル放送信号に対応していないディジタル放送信号に係る情報が削除される。
【０００９】
そして、第１のネットワークにおけるディジタル放送データのＮＩＴが、第２のネットワークに適合するように変更して得られたＮＩＴに置き換えられて第２のネットワークにおけるディジタル放送データが形成される。この第２のネットワークにおけるディジタル放送データは変調されてディジタル変調信号とされ、さらに周波数変換されて第２のネットワークで送信する第２のディジタル放送信号が得られる。これにより、第１のネットワークで放送されているディジタル放送番組を第２のネットワークで配信サービスすることが可能となる。
【００１０】
ここで、第１のネットワークにおけるディジタル放送データより検出されるＮＩＴが異常となることがある。その原因としては、テーブル検出手段が異常である場合、あるいは第１のネットワークにおけるディジタル放送データに含まれるＮＩＴ自体が異常である場合等が考えられる。ＮＩＴが異常であることは、そのＮＩＴの内容を表示することで、ユーザが容易に知ることができる。
【００１１】
このように第１のネットワークにおけるディジタル放送データより検出されるＮＩＴが異常であるとき、そのＮＩＴをテーブル変更手段で変更して得たＮＩＴも異常なものとなる。そこで、このとき、テーブル置き換え手段ではテーブル記憶手段に記憶されている予備のＮＩＴを使用してＮＩＴの置き換えが行われる。これにより、受信端末で正しく受信し得る第２のネットワークにおけるディジタル放送データを得ることが可能となる。
【００１２】
この場合、テーブル記憶手段に記憶される予備のＮＩＴは、例えばテーブル検出手段で検出されるＮＩＴが異常となる以前にテーブル検出手段で検出されたＮＩＴ（第１のネットワークに適合している）またはそのＮＩＴがテーブル変更手段で変更して得られたＮＩＴ（第２のネットワークに適合している）である。予備のＮＩＴが第１のネットワークに適合したものである場合には、テーブル検出手段で検出されるＮＩＴが異常であるとき、その予備のＮＩＴがテーブル変更手段で第２のネットワークに適合するように変更されて置き換えに使用される。一方、
予備のＮＩＴが第２のネットワークに適合したものである場合には、テーブル検出手段で検出されるＮＩＴが異常であるとき、その予備のＮＩＴがそのまま置き換えに使用される。
【００１３】
【発明の実施の形態】
以下、図面を参照しながら、この発明の実施の形態について説明する。図１は、実施の形態としての衛星ディジタル多チャネル放送を利用したディジタルＣＡＴＶ（cable television）システム１０を示している。このシステム１０は、通信衛星２０の複数のトランスポンダ（衛星中継器）からのディジタル放送信号を受信するアンテナ１１と、この受信されたディジタル放送信号の伝送周波数や変調方式等を変更してＣＡＴＶ用のディジタル放送信号を生成して伝送路１３に送出する変調変換送出装置１２とを有して構成されている。なお、伝送路１３には、受信端末であるセット・トップ・ボックス（宅内受信装置）１４-1〜１４-mが接続され、これらセット・トップ・ボックス１４-1〜１４-mで選択されたチャネル番号の画像がモニタ１５-1〜１５-mに表示される。
【００１４】
ここで、通信衛星２０より送られてくるディジタル放送信号について説明する。本実施の形態において、このディジタル放送信号は、ＤＶＢ（Digital Video Broadcasting）システムに対応したものである。図２ＢはＤＶＢシステムにおけるディジタル放送データのフレーム構成を示しており、８個のＭＰＥＧ２トランスポートパケット（図２Ａ参照）で１フレームが構成されている。この場合、パケット内の同期バイト（＝４７H）を用い、８パケットに１回同期バイトを反転（＝Ｂ８H）させてフレーム同期を得る構成となっている。なお、各ＭＰＥＧ２トランスポートパケット（ＭＰＥＧ２ＴＳパケット）には、リードソロモン（２０４，１８８）による誤り訂正符号が付加される。図２Ｂに示すディジタル放送データがＱＰＳＫ（Quadrature Phase Shift Keying）変調され、その後にＳＨＦ帯に周波数変換されて通信衛星２０より送信されてくるディジタル放送信号となる。
【００１５】
図３は、ＭＰＥＧ２トランスポートパケットのパケット構成を示しており、１８８バイトのうち先頭の４バイトはパケットヘッダを構成している。パケットヘッダには該当パケットの個別ストリーム（データ列）の属性を示すＰＩＤ（Packet Identification：パケット識別子）が配されている。ＭＰＥＧ２トランスポートパケットのペイロード（データ部）には、周知のように図４にパケット構成を示すＰＥＳ（Packetized Elementary Stream）パケットが再分割されて配されると共に、さらにＭＰＥＧ２システムの中で規定されているＰＳＩ（Program Specific Informetion：プログラム仕様情報）としてのＰＡＴ（Program Association Table）、ＰＭＴ（Program Map Table）、ＮＩＴ（Network Information Table）等も配される。
【００１６】
ここで、ＰＳＩは簡便な選局操作およびプログラム選択を実現するために必要な情報である。ＰＡＴは各プログラム番号（１６ビット）毎に、そのプログラムを構成するパケットの情報を伝送するＰＭＴのＰＩＤを示すものであり、図５はＰＡＴのテーブル構造を示している。ＰＡＴ自体のＰＩＤとしては、固定的にＰＩＤ＝“０”が割り当てられている。
【００１７】
主な内容について説明する。テーブルＩＤは、テーブルの種別を示すものであって、ＰＡＴでは“0×00”（１６進表記）である。ＴＳ（トランスポート・ストリーム）ＩＤは、ストリーム（多重化された符号化データ）を識別するものであって、衛星の場合はトランスポンダに相当する。バージョン番号は、テーブルの内容が更新される都度加算される。カレント・ネクスト・インジケータは、新旧バージョンを同時に伝送する際の識別に用いられる。プログラム番号は、個々のチャネルを識別するものである。ネットワークＰＩＤは、プログラム番号が“0×0000”の場合に、ＮＩＴのＰＩＤを示すものである。プログラム・マップＰＩＤは、ＰＭＴのＰＩＤを示すものである。
【００１８】
また、ＰＭＴは、各プログラム番号毎に、そのプログラムを構成する映像、音声、付加データ等のストリームが伝送されるパケットのＰＩＤを示すものである。ＰＭＴ自体のＰＩＤは、上述したようにＰＡＴで指定される。図６は、ＰＭＴのテーブル構造を示している。ＰＡＴと重複しない主な内容について説明する。テーブルＩＤは、テーブルの種別を示すものであって、ＰＭＴでは“0×02”である。ＰＣＲ ＰＩＤは復号する際の基準となるクロック（ＰＣＲ）が含まれるパケットのＰＩＤを示すものである。ストリーム・タイプは、映像、音声、付加データ等、ストリームで伝送される信号の種類を示すものである。
【００１９】
また、ＮＩＴは、伝送路に関する物理的な情報、すなわち衛星においては衛星の軌道、偏波、トランスポンダ毎の周波数等を示すものである。ＮＩＴ自体のＰＩＤは、上述したようにＰＡＴで指定される。図７は、ＮＩＴのテーブル構造を示している。ＰＡＴ、ＰＭＴと重複しない主な内容について説明する。テーブルＩＤは、テーブルの種別を示すものであって、当該ネットワークが“0×40”、他のネットワークが“0×41”である。ネットワークＩＤは、ネットワークを識別するものである。衛星の場合は個々の衛星に相当する。
【００２０】
さらに、ＮＩＴの一部として重要な役割を果たす二つのディスクリプタについて説明する。まず、サテライト・デリバリー・システム・ディスクリプタを説明する。このディスクリプタは、ＴＳ（トランスポート・ストリーム）ディスクリプタ長に従って繰り返されるディスクリプタの１番目として使用するものであって、ＴＳ（トランスポート・ストリーム）ＩＤと一対になる。
【００２１】
図８は、サテライト・デリバリー・システム・ディスクリプタの構造を示している。ディスクリプタ・タグは、ＤＶＢで規定されており、ディスクリプタの種別を示すものである。このディスクリプタでは、“0×43”となる。周波数は、ストリーム（ここではトランスポンダ）毎の伝送周波数を示すものである。軌道／西経・東経フラグ／偏波は、衛星の軌道、偏波を示すものである。変調／シンボル・レート／内側誤り訂正符号化率は、伝送方式に関する仕様を示すものである。
【００２２】
次に、サービス・リスト・ディスクリプタを説明する。このディスクリプタは、ＴＳ（トランスポート・ストリーム）ディスクリプタ長に従って繰り返されるディスクリプタの２番目以降として使用するものであって、当該ストリーム（ここではトランスポンダ）に多重されたサービス（チャネル）のＩＤを示すものである。すなわち、一つのＴＳ（トランスポート・ストリーム）ＩＤに複数のサービス・リスト・ディスクリプタが付属する。
【００２３】
図９は、サービス・リスト・ディスクリプタの構造を示している。ディスクリプタ・タグは、ＤＶＢで規定されており、ディスクリプタの種別を示すものである。このディスクリプタでは、“0×41”となる。サービスＩＤは、サービスを識別するものである。通常、サービスは視聴者が選局するチャネルと一致する。サービスタイプは、映像、音声、データ等、サービスの内容を示すものである。
【００２４】
ここで、通信衛星２０より送られてくる上述したようなディジタル放送信号を受信する受信機の動作例を簡単に説明する。なお、ＰＡＴおよびＰＭＴにおいてはプログラム番号が、ＮＩＴにおいてはサービスＩＤが、それぞれの視聴者が選局するチャネル番号に該当する。さらに、ＮＩＴがネットワーク全体、すなわち全てのトランスポンダの情報を含み、同一のテーブルが全てのトランスポンダで並行に伝送されるのに対し、ＰＡＴおよびＰＭＴはそれぞれが伝送されるトランスポンダ内の番組の情報だけからなり、各トランスポンダ毎に異なった内容となっている。
【００２５】
視聴者が受信機において「Ｍ」チャネルを選局したとする。受信機では、固定のＰＩＤによってＮＩＴを受信した後、ＮＩＴのサービス・リスト・ディスクリプタ内のサービスＩＤについて「Ｍ」をサーチする。そして、サービスＩＤ「Ｍ」を含むサービス・リスト・ディスクリプタの前に組み合わされているサテライト・デリバリー・システム・ディスクリプタを受信して、「Ｍ」チャネルを伝送しているトランスポンダの周波数を認識し、受信周波数を制御する。そして、「Ｍ」チャネルを伝送しているトランスポンダからのディジタル放送信号よりＰＡＴを検出し、そのＰＡＴ内のプログラム番号について「Ｍ」をサーチする。
【００２６】
そして、ＰＡＴ内のプログラム番号「Ｍ」を認識した後、ＰＡＴ内のプログラム番号「Ｍ」に付随するプログラム・マップＰＩＤによってＰＭＴを受信する。このＰＭＴ内でプログラム番号「Ｍ」に対応するストリーム・タイプ（映像、音声等）毎のエレメンタリーＰＩＤを認識した後、そのエレメンタリーＰＩＤと一致するＰＩＤを持つトランスポート・ストリーム・パケットを分離する。そして、分離したパケットを各デコーダで復号し、視聴者が選局した「Ｍ」チャネルの映像信号や音声信号等を出力する。
【００２７】
図１０は、図１のディジタルＣＡＴＶシステム１０における変調変換送出装置１２の構成を示している。この送出装置１２は、通信衛星２０の第１〜第Ｎのトランスポンダ（衛星中継器）より送られてくるディジタル放送信号の伝送周波数や変調方式等を変更してＣＡＴＶ用のディジタル放送信号を生成して伝送路１３に送出するものである。なお、各ディジタル放送信号には複数チャネルの番組が多重化されている。
【００２８】
送出装置１２は、マイクロコンピュータを備えてなり、装置全体の動作を制御する制御部３１と、通信衛星２０の第１〜第Ｎのトランスポンダより送られてくるＳＨＦ（Super High Frequency）帯のディジタル放送信号を処理して、ＶＨＦ（Very High Frequency）帯またはＵＨＦ（Ultra High Frequency）帯のＣＡＴＶ用のディジタル放送信号ＢＳ1〜ＢＳNを生成する第１〜第Ｎの信号処理部３２-1〜３２-Nと、これらディジタル放送信号ＢＳ1〜ＢＳNを加算して伝送路１３に送出する加算器３３とを有している。なお、制御部３１には、各信号処理部３２-1〜３２-Nのチューナにおける受信周波数の設定等を行うための操作部３４と、送出装置１２の状態等を表示し、液晶表示器等で構成される表示部３５が接続されている。
【００２９】
信号処理部３２-1は、アンテナ１１で受信されたＳＨＦ帯の複数のディジタル放送信号より、通信衛星２０の第１のトランスポンダより送られてくるディジタル放送信号を選択し、そのディジタル放送信号に対して周波数変換処理を行ってＱＰＳＫ変調信号Ｓ１を得るチューナ４１と、このＱＰＳＫ変調信号Ｓ１を復調してＤＶＢのフレーム構成の信号Ｓ２を得る復調器４２と、この復調器４２より出力されるＤＶＢのフレーム構成の信号Ｓ２に対して誤り訂正を行って、ディジタル放送データとしてのＭＰＥＧ２トランスポートパケットＳ３を順次得るＥＣＣ（Error Correction Code）デコーダ４３とを有している。
【００３０】
また、信号処理部３２-1は、ＥＣＣデコーダ４３より順次出力されるＭＰＥＧ２トランスポートパケットＳ３よりＮＩＴ（ネットワーク・インフォメーション・テーブル）を検出するＮＩＴ検出回路４４と、このＮＩＴ検出回路４４で検出されたテーブルＮＩＴａを記憶するメモリ４５と、このメモリ４５に記憶されたテーブルＮＩＴａを制御部３１でＣＡＴＶに適合するように変更して得られたテーブルＮＩＴｂを記憶するメモリ４６とを有している。ＮＩＴ検出回路４４では、固定のＰＩＤに基づいてＮＩＴの検出が行われる。
【００３１】
上述したように通信衛星２０に係るディジタル放送データにおけるＮＩＴのテーブル構造は図７に示すようになっているため、ＮＩＴ検出回路４４で検出されるテーブルＮＩＴａのテーブル構造も同様である。制御部３１では、テーブルＮＩＴｂを得るに当たって、テーブルＮＩＴａにおける伝送周波数情報等を持つサテライト・デリバリー・システム・ディスクリプタ（図８参照）が、図１１にその構造を示すＣＡＴＶ・デリバリー・システム・ディスクリプタに変更される。
【００３２】
主な内容を説明する。ディスクリプタ・タグは、ＤＶＢで規定されており、ディスクリプタの種別を示すものである。このディスクリプタでは、“0×44”となる。周波数は、ＣＡＴＶにおけるストリーム（多重化された符号化データ）毎の伝送周波数を示すものである。ＦＥＣ（外符号）は、外符号としての誤り訂正符号を示すものであって、このディスクリプタでは、“0010”となる。変調／シンボルレート／ＦＥＣ（内符号）は、伝送方式に関する仕様を示すものである。
【００３３】
なお、ＣＡＴＶにおけるディジタル放送信号の数が、衛星ディジタル放送におけるディジタル放送信号の数よりも少ない場合がある。つまり、通信衛星２０がＬ個のトランスポンダを備え、衛星ディジタル放送におけるディジタル放送信号の数がＬ個であるとき、ＣＡＴＶではそのＬ個のディジタル放送信号のうちＮ個（Ｎ＜Ｌ）のディジタル放送信号が選択的に使用されることがある。その場合、制御部３１では、テーブルＮＩＴｂを得るに当たって、テーブルＮＩＴａにおけるＣＡＴＶで使用されないディジタル放送信号に対応したＴＳ（トランスポート・ストリーム）ＩＤに係る情報（図７において、トランスポート・ストリームＩＤ〜ディスクリプタまでの情報）が削除される。
【００３４】
メモリ４５，４６の書き込み、読み出しは、制御部３１によりインタフェース４７を介して制御される。上述したチューナ４１の受信周波数も、制御部３１により、インタフェース４７を介して制御される。
【００３５】
なお、上述したようにＮＩＴ検出回路４４で検出され、メモリ４５に記憶されたテーブルＮＩＴａの内容は、例えばユーザの操作部３４の操作に基づき、制御部３１の制御によって表示部３５に表示される。例えば、テーブルＮＩＴａのサテライト・デリバリー・システム・ディスクリプタおよびサービス・リスト・ディスクリプタに基づく、各トランスポンダの周波数およびサービスＩＤ等の関係が表示される。ユーザは、この表示を参照することで、ＮＩＴ検出回路４４で検出されたテーブルＮＩＴａが異常であるか否かを判定することが可能となる。テーブルＮＩＴａが異常となる原因としては、ＮＩＴ検出回路４４が異常である場合、あるいはディジタル放送データに含まれるＮＩＴ自体が異常である場合等が考えられる。
【００３６】
上述せずも、制御部３１内のメモリ３１Ｍには、予備のＮＩＴとしてのテーブルＮＩＴｃが記憶されている。このテーブルＮＩＴｃは、ＮＩＴ検出回路４４で検出されたテーブルＮＩＴａが異常となる以前に、このＮＩＴ検出回路４４で検出されたテーブルＮＩＴａである。例えば、ＮＩＴ検出回路４４におけるＮＩＴの検出は制御部３１の制御により一日に一度だけ行われるが、メモリ３１Ｍには１日前に検出された正常なテーブルＮＩＴａがテーブルＮＩＴｃとして記憶されている。
【００３７】
上述したように、原則的には、ＮＩＴ検出回路４４で検出されたテーブルＮＩＴａを制御部３１でＣＡＴＶに適合するように変更して得られたテーブルＮＩＴｂがメモリ４６に記憶される。しかし、ＮＩＴ検出回路４４で検出されたテーブルＮＩＴａが異常であるときは、そのテーブルＮＩＴａを変更して得られたテーブルＮＩＴｂも異常なものとなる。
【００３８】
そこで、本実施の形態においては、例えば表示部３５に表示されたテーブルＮＩＴａの内容によってユーザがテーブルＮＩＴａが異常であることを認識したとき、ユーザが操作部３４でＮＩＴの異常を回避する操作を行うことが可能とされる。この異常回避の操作が行われるとき、制御部３１は、メモリ３１Ｍに記憶されているテーブルＮＩＴｃをＣＡＴＶに適合するように変更してテーブルＮＩＴｄを得、このテーブルＮＩＴｄを上述したテーブルＮＩＴｂの代わりにメモリ４６に記憶する。なお、異常回避の操作が行われるとき、メモリ３１Ｍには、予備のＮＩＴとして、テーブルＮＩＴｄを得るために使用したテーブルＮＩＴｃがそのまま保持される。
【００３９】
また、信号処理部３２-1は、ＥＣＣデコーダ４３より順次出力されるＭＰＥＧ２トランスポートパケットＳ３よりＮＩＴを検出し、そのＮＩＴをメモリ４６に記憶されているテーブルＮＩＴｂあるいはＮＩＴｄに置き換えるＮＩＴ置換回路４８を有している。このＮＩＴ置換回路４８でも、固定のＰＩＤに基づいてＮＩＴの検出が行われる。また、制御部３１でテーブルＮＩＴｂあるいはＮＩＴｄを得るに当たって、上述したようにテーブルＮＩＴａあるいはＮＩＴｃにおけるＣＡＴＶで使用されないディジタル放送信号に対応したＴＳ（トランスポート・ストリーム）ＩＤに係る情報が削除される場合、ＮＩＴ置換回路４８では、その削除された情報に係る部分にダミービットが挿入される。
【００４０】
また、信号処理部３２-1は、ＮＩＴ置換回路４８でＮＩＴが置き換えられたＭＰＥＧ２トランスポートパケットＳ４に対して、リードソロモン（２０４，１８８）の誤り訂正符号を付加する等してＤＶＢのフレーム構成の信号Ｓ５（図２Ｂ参照）を得るＥＣＣエンコーダ４９と、このＤＶＢのフレーム構成の信号Ｓ５に６４ＱＡＭ（Quadrature Amplitude Modulation）の変調処理を行う変調器５０と、この変調器５０より出力される６４ＱＡＭ変調信号の出力を変換してＶＨＦ帯またはＵＨＦ帯のＣＡＴＶ用のディジタル放送信号ＢＳ1を得る周波数変換器５１とを有している。
【００４１】
なお、信号処理部３２-2〜３２-Nは、それぞれ上述した信号処理部３２-1におけるチューナ４１、復調器４２、ＥＣＣデコーダ４３、インタフェース４７、ＮＩＴ置換回路４８、ＥＣＣエンコーダ４９、変調器５０および周波数変換器５１を備えた構成とされている。そして、信号処理部３２-2〜３２-NのＮＩＴ置換回路４８では、それぞれ信号処理部部３２-1のメモリ４６に記憶されているテーブルＮＩＴｂあるいはＮＩＴｄが使用されてＮＩＴの置き換えが行われる。また、信号処理部３２-2〜３２-Nのチューナでは、それぞれアンテナ１１で受信された複数のディジタル放送信号より通信衛星２０の第２〜第Ｎのトランスポンダより送られてくるディジタル放送信号が選択され、そのディジタル放送信号に対して周波数変換処理が行われてＱＰＳＫ変調信号Ｓ１が得られる。信号処理部３２-2〜３２-Nのチューナの受信周波数は、制御部３１により、インタフェース４７を介して制御される。さらに、信号処理部３２-2〜３２-Nの周波数変換器５１では、ディジタル放送信号ＢＳ1〜ＢＳNの伝送周波数がそれぞれ異なるように周波数変換される。
【００４２】
次に、図１０に示す変調変換送出装置１２の動作を説明する。アンテナ１１で受信されたＳＨＦ帯の複数のディジタル放送信号は信号処理部３２-1のチューナ４１に供給される。チューナ４１では、通信衛星２０の第１のトランスポンダより送られてくるディジタル放送信号が選択され、さらにそのディジタル放送信号に対して周波数変換処理が行われてＱＰＳＫ変調信号Ｓ１が得られる。このＱＰＳＫ変調信号Ｓ１は復調器４２に供給され、この復調器４２ではＱＰＳＫ変調信号Ｓ１に対して復調処理が行われてＤＶＢのフレーム構成の信号Ｓ２が得られる（図２Ｂ参照）。そして、このＤＶＢのフレーム構成の信号Ｓ２がＥＣＣデコーダ４３に供給され、このＥＣＣデコーダ４３ではＤＶＢのフレーム構成の信号Ｓ２に対して誤り訂正処理が行われてディジタル放送データとしてのＭＰＥＧ２トランスポートパケットＳ３が順次得られる（図２Ａ参照）。
【００４３】
また、ＥＣＣデコーダ４３より順次出力されるＭＰＥＧ２トランスポートパケットＳ３はＮＩＴ検出回路４４に供給され、このＮＩＴ検出回路４４ではＭＰＥＧ２トランスポートパケットＳ３よりＮＩＴが検出される。そして、検出されたテーブルＮＩＴａはメモリ４５に供給されて記憶される。
【００４４】
制御部３１は、メモリ４５よりテーブルＮＩＴａを読み出し、そのテーブルＮＩＴａにおけるサテライト・デリバリー・システム・ディスクリプタ（図８参照）をＣＡＴＶ・デリバリー・システム・ディスクリプタ（図１１参照）に変更し、さらにテーブルＮＩＴａにおけるＣＡＴＶで使用されないディジタル放送信号に対応したＴＳ（トランスポート・ストリーム）ＩＤに係る情報を削除する等してＣＡＴＶに適合したテーブルＮＩＴｂを得、このテーブルＮＩＴｂをメモリ４６に記憶しておく。
【００４５】
また、制御部３１の制御により、表示部３５にＮＩＴ検出回路４４で検出されたテーブルＮＩＴｂの内容が表示される。制御部３１は、ユーザが操作部３４で異常回避の操作を行うとき、メモリ３１Ｍより予備のＮＩＴとしてのテーブルＮＩＴｃを読み出し、このテーブルＮＩＴｃを変更してＣＡＴＶに適合したテーブルＮＩＴｄを得、上述したテーブルＮＩＴｂに代わって、このテーブルＮＩＴｄをメモリ４６に記憶する。
【００４６】
また、ＥＣＣデコーダ４３より順次出力されるＭＰＥＧ２トランスポートパケットＳ３はＮＩＴ置換回路４８に供給され、このＮＩＴ置換回路４８ではＮＩＴが検出され、そのＮＩＴの部分がメモリ４６に記憶されているテーブルＮＩＴｂあるいはＮＩＴｄに置き換えられる。この場合、制御部３１でテーブルＮＩＴｂあるいはＮＩＴｄを得るに当たって、テーブルＮＩＴａあるいはＮＩＴｃにおけるＣＡＴＶで使用されないディジタル放送信号に対応したＴＳ（トランスポート・ストリーム）ＩＤに係る情報が削除される場合、ＮＩＴ置換回路４８では、その削除された情報に係る部分にダミービットが挿入される。
【００４７】
また、ＮＩＴ置換回路４８でＮＩＴが置換されたＭＰＥＧ２トランスポートパケットＳ４はＥＣＣエンコーダ４９に供給され、このＥＣＣエンコーダ４９では、リードソロモン（２０４，１８８）の誤り訂正符号が付加される等してＤＶＢのフレーム構成の信号Ｓ５が形成される。このＤＶＢのフレーム構成の信号Ｓ５は変調器５０に供給され、この変調器５０ではＤＶＢのフレーム構成の信号Ｓ５に６４ＱＡＭの変調処理が行われて６４ＱＡＭ変調信号Ｓ６が得られる。そして、この６４ＱＡＭ変調信号Ｓ６は周波数変換器５１に供給され、この周波数変換器５１では６４ＱＡＭ変調信号に周波数変換処理が行われてＶＨＦ帯またはＵＨＦ帯の所定の伝送周波数のＣＡＴＶ用のディジタル放送信号ＢＳ1が得られる。
【００４８】
また、アンテナ１１で受信されたＳＨＦ帯の複数のディジタル放送信号は信号処理部３２-2〜３２-Nに供給され、それぞれのチューナでは通信衛星２０の第２〜第Ｎのトランスポンダより送られてくるディジタル放送信号が選択され、そのディジタル放送信号に対して周波数変換処理が行われてＱＰＳＫ変調信号Ｓ１が得られる。そして、信号処理部３２-2〜３２-Nでは、それぞれＮＩＴ置換回路４８で信号処理部３２-1のメモリ４６に記憶されているテーブルＮＩＴｂあるいはＮＩＴｄが使用されてＮＩＴの置き換えが行われる等、信号処理部３２-1と同様の処理が行われて、ＶＨＦ帯またはＵＨＦ帯の所定の伝送周波数のＣＡＴＶ用のディジタル放送信号ＢＳ2〜ＢＳNが得られる。
【００４９】
また、上述したように信号処理部３２-1〜３２-Nで得られるディジタル放送信号ＢＳ1〜ＢＳNは加算器３３に供給されて加算され、その加算信号はＣＡＴＶの伝送路１３に送出される。このように、ＣＡＴＶ用のディジタル放送信号ＢＳ1〜ＢＳNは、衛星ディジタル放送におけるＰＳＩ（プログラム仕様情報）のうち、ＮＩＴのみを変更するものである。そのため、ＣＡＴＶの伝送路１３に接続されている受信端末としてのセット・トップ・ボックス１４-1〜１４-mでは、上述した衛星ディジタル放送の受信機における選局動作と同様に選局動作が行われることとなる。
【００５０】
以上説明したように本実施の形態においては、変調変換送出装置１２で、衛星ディジタル放送（第１のネットワーク）におけるディジタル放送データとしてのＭＰＥＧ２トランスポートパケットＳ３よりＮＩＴ検出回路４４でＮＩＴを検出し、検出されるテーブルＮＩＴａを変更してＣＡＴＶ（第２のネットワーク）に適合するテーブルＮＩＴｂを得、衛星ディジタル放送におけるディジタル放送データとしてのＭＰＥＧ２トランスポートパケットＳ３のＮＩＴをＮＩＴｂに置き換えてＣＡＴＶにおけるディジタル放送データとしてのＭＰＥＧ２トランスポートパケットＳ４を得るものである。したがって、衛星ディジタル放送で放送されているディジタル放送番組をＣＡＴＶで配信サービスすることが可能となる。
【００５１】
また、検出されるテーブルＮＩＴａが異常であって、ユーザが操作部３４で異常回避の操作をするとき、制御部３１のメモリ３１Ｍに記憶されている予備のＮＩＴとしてのテーブルＮＩＴｃをＣＡＴＶに適合するように変更してテーブルＮＩＴｄを得、異常となるテーブルＮＩＴｂに代えて、このテーブルＮＩＴｄを使用してＮＩＴの置き換えが行われる。したがって、検出されるテーブルＮＩＴａが異常であっても、受信端末で正しく受信し得るＣＡＴＶにおけるディジタル放送データを得ることができる。
【００５２】
なお、上述実施の形態においては、制御部３１のメモリ３１Ｍに予備のＮＩＴとしてＮＩＴ検出回路４４で検出される正常なテーブルＮＩＴｃを記憶しておくものであるが、このテーブルＮＩＴｃを制御部３１で変更して得られたＣＡＴＶに適合したテーブルＮＩＴｄを記憶しておくようにしてもよい。その場合、ユーザが操作部３４で異常回避の操作をするとき、制御部３１はメモリ３１ＭよりそのテーブルＮＩＴｄを読み出してメモリ４６に記憶することとなる。
【００５３】
また、上述実施の形態においては、ユーザが操作部３４で異常回避の操作を行うことで、制御部３１のメモリ３１Ｍに記憶されている予備のＮＩＴとしてのテーブルＮＩＴｃが使用されるものであるが、ＮＩＴ検出回路４４で検出されるテーブルＮＩＴａより所定の情報が得られるか否か等によって制御部３１でテーブルＮＩＴａの異常を判定し、その判定結果で自動的にメモリ３１Ｍに記憶されている予備のＮＩＴとしてのテーブルＮＩＴｃを使用するか否かを決定するようにしてもよい。
【００５４】
また、上述実施の形態においては、ＮＩＴ検出回路４４で検出されるテーブルＮＩＴａの内容が表示部３５に表示されるものであって、ユーザはこの表示を参照してテーブルＮＩＴａが異常か否かを判定できるものであったが、信号処理部３２-1〜３２-Nより出力されるディジタル放送信号ＢＳ1〜ＢＳNより所定チャネルを選局して例えばモニタに画像を表示できるか否かによってテーブルＮＩＴａの異常を判定することもできる。
【００５５】
【発明の効果】
この発明によれば、第１のネットワークにおけるディジタル放送データのＮＩＴをテーブル検出手段で検出し、そのＮＩＴを第２のネットワークに適合するように変更し、第１のネットワークにおけるディジタル放送データのＮＩＴを上記変更したＮＩＴに置き換えて第２のネットワークにおけるディジタル放送データを得るものにあって、予備のＮＩＴを記憶しておき、第１のネットワークにおけるディジタル放送データより検出されるＮＩＴが異常であるとき、上記予備のＮＩＴを使用してＮＩＴの置き換えを行うものである。
【００５６】
したがって、テーブル検出手段が異常である場合、あるいは第１のネットワークにおけるディジタル放送データに含まれるＮＩＴ自体が異常である場合等であって、テーブル検出手段で検出されるＮＩＴが異常であっても、受信端末で正しく受信し得る第２のネットワークにおけるディジタル放送データを得ることができる。
【図面の簡単な説明】
【図１】実施の形態としてのディジタルＣＡＴＶシステムの構成を示すブロック図である。
【図２】ＭＰＥＧ２トランスポートパケットとＤＶＢシステムのフレーム構成を示す図である。
【図３】ＭＰＥＧ２トランスポートパケットのパケット構造を示す図である。
【図４】ＰＥＳパケットのパケット構造を示す図である。
【図５】プログラム・アソシエーション・テーブル（ＰＡＴ）のテーブル構造を示す図である。
【図６】プログラム・マップ・テーブル（ＰＭＴ）のテーブル構造を示す図である。
【図７】ネットワーク・インフォメーション・テーブル（ＮＩＴ）のテーブル構造を示す図である。
【図８】ＮＩＴにおけるサテライト・デリバリー・システム・ディスクリプタの構造を示す図である。
【図９】ＮＩＴにおけるサービス・リスト・ディスクリプタの構造を示す図である。
【図１０】ディジタルＣＡＴＶシステムを構成する変調変換送出装置の構成を示すブロック図である。
【図１１】ＣＡＴＶ・デリバリー・システム・ディスクリプタの構造を示す図である。
【符号の説明】
１０・・・ＣＡＴＶシステム、１１・・・アンテナ、１２・・・変調変換送出装置、１３・・・ＣＡＴＶの伝送路、１４-1〜１４-m・・・セット・トップ・ボックス、１５-1〜１５-m・・・モニタ、２０・・・通信衛星、３１・・・制御部、３１Ｍ・・・メモリ、３２-1〜３２-N・・・信号処理部、３３・・・加算器、３４・・・操作部、３５・・・表示部、４１・・・チューナ、４２・・・復調器、４３・・・ＥＣＣデコーダ、４４・・・ＮＩＴ検出回路、４５，４６・・・メモリ、４７・・・インタフェース、４８・・・ＮＩＴ置換回路、４９・・・ＥＣＣエンコーダ、５０・・・変調器、５１・・・周波数変換器
【図１】
0003823491.tif 000002
【図２】
0003823491.tif 000003
【図３】
0003823491.tif 000004
【図４】
0003823491.tif 000005
【図５】
0003823491.tif 000006
【図６】
0003823491.tif 000007
【図７】
0003823491.tif 000008
【図８】
0003823491.tif 000009
【図９】
0003823491.tif 000010
【図１０】
0003823491.tif 000011
【図１１】
0003823491.tif 000012